(57)【要約】【課題】回転電機の端子箱のケースを回転電機から取り外すことなく端子箱の口出し穴の向きの変更と端子箱の穴径の変更とを可能にする、回転電機及び回転電機端子箱の機能を提供する。【解決手段】本開示は、接続用端子を収納し、電源ケーブル口出し穴を有する端子箱が固定された回転電機を提供する。当該端子箱は、回転電機のフレームに固定される底板部と、当該底板部に取り付けられる胴体部と、当該胴体部の上から被されるカバーと、を備える。そして、胴体部は、その側面に、径サイズの異なる、複数の電源ケーブル口出し穴を有する。【選択図】図３
2018023240.tif 000002
【特許請求の範囲】
【請求項１】
接続用端子を収納し、電源ケーブル口出し穴を有する端子箱を有する回転電機であって、
前記端子箱は、回転電機のフレームに固定される底板部と、当該底板部に取り付けられる胴体部と、当該胴体部の上から被されるカバーと、を備え、
前記胴体部は、その側面に、径サイズの異なる、複数の電源ケーブル口出し穴を有する回転電機 。
【請求項２】
請求項１において、
前記胴体部の少なくとも１つの側面には、前記電源ケーブル口出し穴が設けられていない回転電機。
【請求項３】
請求項１において、
前記底板部と前記胴体部は印籠嵌めによって取り付けられている回転電機。
【請求項４】
請求項１において、
前記カバーは、複数の側面の１つに開口部を有し、
前記底板部と前記胴体部と前記カバーとが取り付けられた状態において、前記端子箱の使用時には、前記複数の電源ケーブル口出し穴の１つが前記開口部によって露出される回転電機。
【請求項５】
請求項２において、
前記カバーは、複数の側面の１つに開口部を有し、
前記底板部と前記胴体部と前記カバーとが取り付けられた状態において、前記端子箱の使用前は、前記開口部は、前記電源ケーブル口出し穴が設けられていない前記胴体部の側面によって塞がれる回転電機。
【請求項６】
請求項１において、
前記カバーの取り付け方向は一定であって、
前記胴体部が第１の取り付け方向で前記底板部に取り付けられた状態では、第１のサイズの電源ケーブル口出し穴が露出され、
前記胴体部が第２の取り付け方向で前記底板部に取り付けられた状態では、第２のサイズの電源ケーブル口出し穴が露出され、
前記胴体部が第３の取り付け方向で前記底板部に取り付けられた状態では、第３のサイズの電源ケーブル口出し穴が露出される回転電機。
【請求項７】
請求項１において、
前記カバーと前記胴体部が第１の取り付け方向で前記底板部に取り付けられた状態では、第１のサイズの電源ケーブル口出し穴が前記第１の取り付け方向に露出され、
前記カバーと前記胴体部が第２の取り付け方向で前記底板部に取り付けられた状態では、前記第１のサイズの電源ケーブル口出し穴が前記第２の取り付け方向に露出され、
前記カバーと前記胴体部が第３の取り付け方向で前記底板部に取り付けられた状態では、前記第１のサイズの電源ケーブル口出し穴が前記第３の取り付け方向に露出される回転電機。
【請求項８】
請求項１において、
前記底板部と前記胴体部と前記カバーとは、それぞれの各側面の一箇所において固定されている回転電機。
【請求項９】
回転電機に取り付けられ、回転電機に電源を供給するための電源ケーブルを取り付けるための電源ケーブル穴を有する、回転電機端子箱であって、
回転電機のフレームに固定される底板部と、当該底板部に取り付けられる胴体部と、当該胴体部の上から被されるカバーと、を備え、
前記胴体部は、その側面に、径サイズの異なる、複数の電源ケーブル口出し穴を有する回転電機端子箱。
【発明の詳細な説明】
【技術分野】
【０００１】
本発明は、回転電機及び回転電機端子箱に関する。
【背景技術】
【０００２】
一般に、電動機には、電源側のケーブルと電動機側の口出し線とを接続するための電動機端子箱が設けられている。電動機端子箱は、電動機本体にボルトやネジで固定される。このような電動機端子箱の構成は、例えば、特許文献１に開示されている。
【先行技術文献】
【特許文献】
【０００３】
【特許文献１】特開２００７−１４０４４号公報
【発明の概要】
【発明が解決しようとする課題】
【０００４】
特許文献１に開示の電動機においては、端子箱ケースと合せて電動機の端子台（口出し線との接続）などの部品が固定される。このため、電動機を作製した後に電動機端子箱の口出し穴向きを変更するには、端子台から口出し線を取り外し、端子台を取り外し、さらに端子箱ケースを取り外して端子箱ケースの向きを変更する必要がある。また、再度逆の順序で電動機端子箱、端子台、及び口出し線の全て取り付けをし直さなければならない。端子箱の穴径変更を行う場合も同様の作業が必要となる。
【０００５】
しかるに、電動機に関して当初計画していた電源ケーブルの取り回しやケーブル径を決定していたが、例えば、電動機の据付作業を行うタイミングで電動機端子箱の口出し穴径を変更したり、端子箱口出し穴の向きを変更したりするニーズがある。口出し穴の向きの変更については、一般に電動機端子箱のケースに付随する部品を全て取り外した後、当該ケースの向きを変更して取り付け、付随する部品を全てつけ直す必要がある。また、電動機端子箱の穴径を変更するためには、新しい穴径の端子箱ケースを用意し、前述の作業同様に電動機端子箱のケースを付け替えする必要がある。これらの作業は非常に煩雑であるため、据付作業時において変更する場合には即座に仕様の変更が可能であることが望ましい。
【０００６】
本発明はこのような状況に鑑みてなされたものであり、電動機端子箱のケースを電動機から取り外すことなく電動機端子箱の口出し穴の向きの変更と電動機端子箱の穴径の変更とを可能にする、電動機及び電動機端子箱の機能を提供するものである。
【課題を解決するための手段】
【０００７】
上記課題を解決するために、本開示は、接続用端子を収納し、電源ケーブル口出し穴を有する端子箱が固定された回転電機を提供する。当該端子箱は、回転電機のフレームに固定される底板部と、当該底板部に取り付けられる胴体部と、当該胴体部の上から被されるカバーと、を備える。そして、胴体部は、その側面に、径サイズの異なる、複数の電源ケーブル口出し穴を有する。
【０００８】
本発明に関連する更なる特徴は、本明細書の記述、添付図面から明らかになるものである。また、本発明の態様は、要素及び多様な要素の組み合わせ及び以降の詳細な記述と添付される特許請求の範囲の様態により達成され実現される。
【０００９】
本明細書の記述は典型的な例示に過ぎず、本発明の特許請求の範囲又は適用例を如何なる意味に於いても限定するものではない。
【発明の効果】
【００１０】
本開示によれば、端子箱のケースを回転電機（電動機）から取り外すことなく端子箱の口出し穴の向きを変更し、端子箱の穴径を変更することができるようになる。
【図面の簡単な説明】
【００１１】
【図１】一般的な電動機１と電動機端子箱２の構成を示す図である。
【図２】電動機端子箱２を構成する端子箱ケース３と端子箱カバー４の構成を示す図である。
【図３】本開示の実施形態による電動機端子箱１０の構成を説明する図である。
【図４】本実施形態による端子箱底板部１２と端子箱胴体部１３との接続構造例を示す図である。
【図５】本実施形態による電動機端子箱１０の端子箱底板部１２と端子箱胴体部１３とを印籠嵌めした状態を真上から見た様子を示す図である。
【図６】本実施形態による電動機端子箱１０の端子箱底板部１２を電動機１に固定した状態で端子箱胴体部１３を９０度方向に付け替えし、口出し穴径を変更した状態を示す図である。
【図７】本実施形態による電動機端子箱１０の端子箱底板部１２と端子箱胴体部１３に端子箱カバーを取り付けた様子を示す図である。
【図８】本実施形態による電動機端子箱１０の口出し穴の向きの変更を説明するための図である。
【図９】本実施形態による電動機端子箱１０の端子箱底板部１２、端子箱胴体部１３、及び端子箱カバー１１を共締め固定する構造を説明するための図である。
【図１０】本実施形態による電動機端子箱１０の端子箱カバー１１を完全に被せる前の状態及び完全に被せたときの状態を示す図である。
【図１１】本実施形態による電動機端子箱１０の出荷時の状態を示す図である。
【発明を実施するための形態】
【００１２】
電動機の端子箱の口出し穴向きと穴径の仕様変更については次の変更が主である。
（i）端子箱口出し穴向きの変更については９０度方向の変更が主である。
（ii）端子箱口出し穴径は特定のサイズでの穴径変更が主である。
【００１３】
本開示では、これら２つの仕様変更に対応するため、電動機端子箱を３つの部材（底板部、胴体部、及びカバー）に分割する構造とした。端子箱胴体部の側面（例えば４面）のうち３面はそれぞれ異なった穴径を有する。残り面のうち１面は穴加工が無く、電動機の出荷時はこの面を口出し穴面とすることにより、電動機が据付されるまでの間、端子箱内に塵や埃等の侵入防止を図るものである。また、穴の空いた面の穴径寸法以外の仕様に対応する場合、当該穴加工されていない面を追加加工することで新たな仕様追加にも対応することが可能となる。なお、端子箱胴体部の各側面のそれぞれ１箇所で端子箱底板部及び端子箱カバーと共締めするための端子箱固定用ナットを備え（例えば、粗面の内側に溶接で固定する）、当該ナットを用いて端子箱底板部及び端子箱カバーと共締めし、３つの部材を固定する。
【００１４】
端子箱底板部は端子箱胴体部と印籠方式によって取り付けられる（印籠嵌め）。端子箱底板部は、側面（例えば、４側面）にそれぞれ１箇所の、端子箱カバーと共締めするための穴を有している。なお、従来品では端子箱カバーは、端子箱の決まった位置の４箇所あるいは２箇所で固定している。本開示では、端子箱の固定可能な箇所を胴体部の側面（例えば４側面）にそれぞれ１箇所設け、そのうちの２箇所によって端子箱カバーを固定する。この方法によれば、端子箱胴体部と端子箱カバーとは任意の４方向に変更可能となるため、端子箱底板部を電動機から取り外さずに端子箱胴体部と端子箱カバーを付け替えすることができ、これによって電動機端子箱の口出し穴の向きと穴径を適宜変更することが可能となる。
【００１５】
以下、添付図面を参照しながら、本開示の実施形態について説明する。添付図面では、機能的に同じ要素は同じ番号で表示される場合もある。なお、添付図面は本発明の原理に則った具体的な実施形態と実装例を示しているが、これらは本発明の理解のためのものであり、決して本発明を限定的に解釈するために用いられるものではない。
【００１６】
本実施形態では、当業者が本発明を実施するのに十分詳細にその説明がなされているが、他の実装・形態も可能で、本発明の技術的思想の範囲と精神を逸脱することなく構成・構造の変更や多様な要素の置き換えが可能であることを理解する必要がある。従って、以降の記述をこれに限定して解釈してはならない。
【００１７】
＜一般的な電動機端子箱の構成＞
本開示の電動機端子箱について説明する前に、理解をより深くするため、従来から存在する一般的な電動機端子箱の構成について説明する。図１は、一般的な電動機１と電動機端子箱２の構成を示す図である。図１Ａは、電動機端子箱が取り付けられた電動機の外観全体を示す図である。図１Ｂは、電動機端子箱２の外観を示す図である。
【００１８】
図１Ａに示されるように、電動機１の本体の外部に電動機端子箱２が固定されている。電動機端子箱２には、電源ケーブル（図示せず）を挿入するための口出し穴５が設けられている。電源ケーブルは、口出し穴５に挿入された後（このとき端子箱カバー４は取り外された状態にある）、電動機１の口出し線と接続され、電動機１に電源が供給されるようになる。また、図１Ｂに示されるように、一般的な電動機端子箱２の端子箱ケース３と端子箱カバー４にはそれぞれ４つずつのネジ穴が設けられており（図２参照）、端子箱ケース３と端子箱カバー４は固定用ネジによって４箇所で共締めされる。
【００１９】
図２は、電動機端子箱２を構成する端子箱ケース３と端子箱カバー４の構成を示す図である。図２Ａは端子箱カバー４を示し、図２Ｂは端子箱ケース３を示している。端子箱ケース３は、電動機１本体に固定用ネジ・ボルト等で固定され、端子箱カバー４が端子箱ケース３に固定用ネジ・ボルト等で固定される。また、端子箱ケース３には、４方向のうち決まった１方向に電源ケーブル（図示せず）を通す口出し穴５が設けられている。口出し穴５に対しては、両側側面内側の決まった位置に端子箱カバー固定用ナット（図示せず）が溶接されており、この固定用ナットを利用して端子箱カバー４は端子箱ケース３に固定（共締め）される。さらに、端子箱ケース３においては、口出し穴５が設けられた面から当該面に対向する面（口出し穴５が設けられてない面）に向かって側面に傾斜が設けられている。つまり、口出し穴５が設けられた面の高さよりも口出し穴５が設けられてない面の高さの方が低く設定されている。このようにすることにより、電動機１の口出し線（図示せず）と電源ケーブル（図示せず）との接続作業をやりやすくすることが可能となる。
【００２０】
一般的な電動機端子箱２は、以上のような構造を備えているため、一度電動機１に電動機端子箱（端子箱ケース３）２を取り付けてしまうと、口出し穴５の向きの変更及び口出し穴径の変更をするには、端子箱ケース３を付け替えする必要があるが、端子箱ケース３の付け替えをするためには端子箱ケース３を一度完全に電動機１から取り外す必要がある。
【００２１】
＜本開示の電動機端子箱の構成＞
図３は、本開示の実施形態による電動機端子箱１０の構成を説明する図である。本実施形態による電動機端子箱１０は、上述した端子箱ケース３を端子箱底板部１２と端子箱胴体部１３の別々の構成としたものである。つまり、電動機端子箱１０は、端子箱カバー１１と、端子箱底板部１２と、端子箱胴体部１３と、を備える。
【００２２】
端子箱底板部１２は、上述した一般的な電動機端子箱２で言えば、端子箱ケース３の底部のみの構造となっている。そして、端子箱底板部１２は、端子箱カバー１１と端子箱胴体部１３とを固定するための固定用穴を４方向に１箇所ずつ備えている。後述するように、例えば対角線方向の２つの固定用穴１４を用いて（電動機端子箱１０の全体の大きさに応じて４つの固定用穴を用いる場合もある）、端子箱カバー１１、端子箱胴体部１３、及び端子箱底板部１２が固定用ネジ・固定用ナットによって共締めされる。
【００２３】
端子箱胴体部１３は、筒状の部材で構成され、例えば、３面に異なる径の口出し穴（口出し穴Ａ_１５、口出し穴Ｂ_１６、口出し穴Ｃ_１７）を有している。残りの１面１８は、穴加工をしていない面である。これは、３種類の口出し穴で対応できない径を有する電源ケーブル用の新たな口出し穴を当該残りの面１８に設けることができるようにするためである。また、電動機端子箱１０を取り付けた電動機１を出荷する際に、口出し穴１５乃至１７が露出しないように端子箱カバー１１で塞ぐ（このとき端子箱カバー１１の側面開口部２０が当該残りの面１８と対向し、当該側面開口部２０が面１８によって塞がれる）ことができるようにするためである。また、端子箱胴体部１３は、端子箱胴体部１３を端子箱底板部１２に固定するための４つの固定用穴１９を備えている。端子箱胴体部１３を端子箱底板部１２に嵌めたとき（後述するように印籠嵌め）、当該４つの固定用穴１９は、端子箱底板部１２の固定用穴１４に整合するようになっている。
【００２４】
端子箱カバー１１は、上述の端子箱カバー４と同様の形状であり、端子箱胴体部１３の口出し穴Ａ_１５、口出し穴Ｂ_１６及び口出し穴Ｃ_１７の１つを露出させるための側面開口部２０をその側面部に備えている。また、端子箱カバー１１は、端子箱カバー１１を端子箱胴体部１３と共に端子箱底板部１２に固定するための４つの固定用穴２１を備えている。端子箱カバー１１を、端子箱胴体部１３と端子箱底板部１２の上から被せたとき、当該４つの固定用穴２１は、端子箱胴体部１３の固定用穴１９と端子箱底板部１２の固定用穴１４の両方に整合するようになっている。
【００２５】
＜端子箱底板部１２と端子箱底板部１２の接続について＞
図４は、本実施形態による端子箱底板部１２と端子箱胴体部１３との接続構造例を示す図である。
【００２６】
図４に示すように、端子箱胴体部１３の下方部分は絞った形状になっている。これにより、端子箱底板部１２と端子箱胴体部１３とは印籠方式で嵌められ、固定用ネジと固定用ナット２２で接続される。この固定用ナット２２は、一般の電動機端子箱２の端子箱ケース３の固定用ナット（図２では図示せず）と同様に、端子箱胴体部１３の内側に溶接されている。ただし、固定用ナット２２は、端子箱胴体部１３の端子箱底板部１２と印籠嵌めされる部分の４面に各１箇所ずつ設けられている（例えば、固定用ナット２２は端子箱胴体部１３の側面の下方部に溶接されている）。なお、前述したように、通常、ネジ留めは、対角線状の２面（２箇所）において実施される（電動機端子箱１０全体の大きさが大きい場合には、４箇所でネジ留めされる）。
【００２７】
なお、図４では、端子箱胴体部１３を端子箱底板部１２に嵌めたとき、端子箱胴体部１３の嵌合部１３１の面高さと端子箱底板部１２の嵌合部１２１の面高さとは同じとなっている。ただし、端子箱胴体部１３の嵌合部１３１の面高さが端子箱底板部１２の嵌合部１２１の面高さよりも高くても良い。その逆は、端子箱胴体部１３と端子箱底板部１２との接続部分に水が溜まった時に、当該接続部分から電動機端子箱内部に浸水する可能性があるため、好ましくない。
【００２８】
＜共締めの位置について＞
図５は、本実施形態による電動機端子箱１０の端子箱底板部１２と端子箱胴体部１３とを印籠嵌めした状態を真上から見た様子を示す図である。
【００２９】
図５に示す通り、印籠嵌めされた端子箱底板部１２及び端子箱胴体部１３を真上から見ると、両者は線対称かつ点対称の形状（例えば、正方形（角が丸められていても良い））をしており、端子箱胴体部１３は端子箱底板部１２を中心に９０度毎に取り付けの変更が可能となっている。また、端子箱カバー１１が被された場合には、端子箱底板部１２、端子箱胴体部１３、及び端子箱カバー１１の各一辺の一箇所（固定用穴は各一辺で１つでなくても良い）で固定用ネジと固定用ナットで共留めされる。このように、各辺で一箇所のみの共締めで済むことにより、電動機端子箱１０の取り付け、穴径変更、及び穴向き変更の作業をより単純化することが可能である。さらに、共締めの場所は、図５に示されるように、例えば、対向する面の共締め位置を結ぶ線同士は、対角線状に近く、ほぼ直交している。このようにほぼ対角線状に共締め位置を設定することにより、各辺の一箇所のみで留めたとしてもより強固に固定することが可能である。
【００３０】
＜口出し穴径の変更について＞
図６は、本実施形態による電動機端子箱１０の端子箱底板部１２を電動機１に固定した状態で端子箱胴体部１３を９０度方向に付け替えし、口出し穴径を変更した状態を示す図である。図６Ａは、口出し穴Ｃ_１７を電源ケーブルの口出し穴として利用する場合を示す。図６Ｂは、口出し穴Ｂ_１６を電源ケーブルの口出し穴として利用する場合を示す。図６Ｃは、口出し穴Ａ_１５を電源ケーブルの口出し穴として利用する場合を示す。口出し穴Ａ_１５は中サイズの口出し穴であり、口出し穴Ｂ_１６は最小サイズの口出し穴であり、口出し穴Ｃ_１７は最大サイズの口出し穴である。
【００３１】
図６に示すように、端子箱胴体部１３を付け替えすることにより、口出し穴Ａ、口出し穴Ｂ、口出し穴Ｃを任意の４方向に向けることが可能であり、電源ケーブルの接続方法を一定とした場合には、電源ケーブルの径サイズに合わせて口出し穴のサイズを変更することができるようになる。
【００３２】
図７は、本実施形態による電動機端子箱１０の端子箱底板部１２と端子箱胴体部１３に端子箱カバー１１を取り付けた様子を示す図である。図５で説明した方法で端子箱底板部１２を電動機１から取り外すことなく端子箱胴体部１３を９０度回転させるだけで電動機端子箱１０の口出し穴径を９０度毎に変更し、任意の口出し穴方向に対して口出し穴Ａ_１５、口出し穴Ｂ_１６、口出し穴Ｃ_１７に変更することが可能である。図７Ａは、最大サイズの口出し穴Ｃ_１７を電源ケーブル用の口出し穴として使用する場合の電動機端子箱１０の全体像を示している。図７Ｂは、中サイズの口出し穴Ａ_１５を電源ケーブル用の口出し穴として使用する場合の電動機端子箱１０の全体像を示している。図７Ｃは、最小サイズの口出し穴Ｂ_１６を電源ケーブル用の口出し穴として使用する場合の電動機端子箱１０の全体像を示している。
【００３３】
＜口出し穴の向きの変更について＞
図８は、本実施形態による電動機端子箱１０の口出し穴の向きの変更を説明するための図である。図８では、口出し穴径サイズを一定（例えば、口出し穴Ａ_１５）とし、口出し穴の向きのみを変更している。図８Ａは、Ｘ軸の正方向に口出し穴Ａ_１５を向けたときの状態を示す図である。図８Ｂは、Ｙ軸の負方向に口出し穴Ａ_１５を向けたときの状態を示す図である。図８Ｃは、Ｘ軸の負方向に口出し穴Ａ_１５を向けたときの状態を示す図である。
【００３４】
端子箱底板部１２と端子箱胴体部１３の付け替えについては図７で説明した通りであるが、口出し穴の向きを変更する場合にも端子箱胴体部１３を付け替えて特定の口出し穴の向きを変えれば良い。このように、端子箱底板部１２を電動機１から取り外すことなく端子箱胴体部１３及び端子箱カバー１１を９０度回転させて取り付けすれば、端子箱の口出し穴向きを任意の９０度方向に変更することができる。
【００３５】
なお、電動機１は、内部構造までは図示しないが、例えば、電動機ハウジングと、回転子と、固定子と、シャフトと、軸受けと、エンドブラケットと、ファン（ファンは電動機の種類によっては必須の構成ではない）と、を備えている。
【００３６】
＜共締めの構造＞
図９は、本実施形態による電動機端子箱１０の端子箱底板部１２、端子箱胴体部１３、及び端子箱カバー１１を共締め固定する構造を説明するための図である。図９では、電動機端子箱１０を側面から見たときの内部構造が示めされている。なお、図９Ａにおいて、固定用ナット２２及び固定用ネジ２３と固定用ナット２２’及び固定用ネジ２３’の両方のペアが現れている（図９Ａは断面図ではないので）が、固定用ナット２２及び固定用ネジ２３は紙面手前に、固定用ナット２２’及び固定用ネジ２３’は紙面奥に配置されている。
【００３７】
図１０Ａは、本実施形態による電動機端子箱１０の端子箱カバー１１を完全に被せる前の状態を示す図である。図１０Ｂは、本実施形態による電動機端子箱１０の端子箱カバー１１を完全に被せたときの状態を示す図である。図１０Ａでは、端子箱カバー１１の固定に使用しない口出し穴側とその反対側にある固定用穴１９及び固定用ナット２２の２箇所が穴の空いた状態になっている。一方、図１０Ｂに示す通り、端子箱カバー１１を完全に被せることで端子箱カバー１１によって固定用穴（使用されない固定用穴）１９が塞がれるため、端子箱内の密閉性を保つことができ、電動機端子箱１０の内部を砂、埃や塵から保護することができるようになる。
【００３８】
端子箱底板部１２、端子箱胴体部１３、及び端子箱カバー１１を共締めする場合、まず、図４に示されるように、端子箱胴体部１３を端子箱底板部１２に嵌める（印籠嵌め）。次に、その上から端子箱カバー１１を被せ、端子箱カバー１１の固定用穴２１の位置を、端子箱底板部１２の固定用穴１４及び端子箱胴体部１３の固定用穴１９の位置に合わせる。そして、固定用ネジ２３が固定用穴１９に挿入され、端子箱胴体部１３の内側側面に溶接された固定用ナット２２によって端子箱底板部１２、端子箱胴体部１３、及び端子箱カバー１１が共締め固定される。
【００３９】
＜出荷時の状態＞
図１１は、本実施形態による電動機端子箱１０の出荷時の状態を示す図である。電動機１を出荷する時には、図１１に示すように、端子箱カバー１１の側面開口部２０が端子箱胴体部１３の口出し穴を設けていない面によって塞がれるように、端子箱底板部１２、端子箱胴体部１３、及び端子箱カバー１１が共締めされる。これにより、使用前の状態においては、電動機端子箱１０の口出し穴に特別な工夫（ビニールやテープなどによって塞ぐこと）を施して防塵対策することなく、電動機端子箱１０内を清潔な状態に保つことが可能となる。
【００４０】
＜変形例＞
上述の実施形態では、側面が４面あり、上から見た形状が点対称及び線対称（例えば、正方形）の電動機端子箱について説明したが、側面は４つ（形状は正方形）に限定されず、側面の数は５つ以上（正多角柱の端子箱、或いは上から見た形状が正多角形の端子箱）であっても良い。側面の数を４つよりも多くすることにより、より多くの種類の口出し穴を電動機端子箱に形成することが可能となる。また、少なくとも１つの口出し穴にオリフィス板などによって構成された穴径絞り機構を設けることにより、様々な種類の穴径に対応できるようにしても良い。
【００４１】
＜まとめ＞
本実施形態による電動機端子箱は、電動機のフレームに固定される端子箱底板部、当該端子箱底板部に取り付けられる端子箱胴体部、当該端子箱胴体部の上から被されるカバーの３つの部材により構成される。そして、端子箱胴体部は、その側面に、径サイズの異なる、複数の電源ケーブル口出し穴を有している。このように端子箱を３つの部材で構成したので、端子箱底板部を電動機に固定したままで（取り外さずに）、端子箱胴体部の取り付け向きを変えることによって、口出し穴の径や方向を容易に変更することができるようになる。例えば、電動機完成後、電動機の据え付け時や据え付け後において、急な電動機端子箱の口出し穴向きと電動機端子箱の穴径の仕様変更があった場合であっても、電動機本体から電動機端子箱を完全に取り外さずに（端子箱底板部は電動機に固定したまま）、かつ、新しい穴径の端子箱を設置する必要なく、口出し穴の径や向きを変更することができる。
【００４２】
また、端子箱胴体部の少なくとも１つの側面には、電源ケーブル口出し穴が設けられていない。このようにすることにより、当該穴加工が施されていない１面に任意の穴径を追加々工することが可能となり、よって部品の共用化によってコスト削減、棚残減少に供与するものである。
【００４３】
端子箱底板部と端子箱胴体部は印籠嵌めによって取り付けられる。このように印籠方式によって取り付けるようにしたので、取り付けのための部品を改めて設ける必要がなく、コストを削減できる。また、印籠方式は安定的に取り付けることができるので、電動機端子箱の製品としての信頼性を向上させることができるようになる。
【００４４】
端子箱カバーは、端子箱底板部に取り付けた端子箱胴体部を上から被せることができるように構成される。また、端子箱カバーは、その複数の側面の１つに開口部を有している。そして、端子箱底板部と端子箱胴体部と端子箱カバーとが取り付けられたとき、電動機端子箱の使用時には、複数の電源ケーブル口出し穴の１つが端子箱カバーの側面開口部によって露出されるようになっている。このようにすることにより、必要な口出し穴のみを露出することができ、電動機使用中においても電動機端子箱内に対する防塵・防砂効果を期待することができる。
【００４５】
また、端子箱底板部と端子箱胴体部と端子箱カバーとが取り付けられたときであって電動機端子箱の使用前は、端子箱カバーの側面開口部は、電源ケーブル口出し穴が設けられていない胴体部の側面によって塞がれている。これにより、出荷時等、電動機端子箱を使用する前の状況においては、電動機端子箱内への埃や塵などの侵入を防止することができるようになる。
【００４６】
上述のように、本実施形態による電動機端子箱においては、容易に口出し穴径を変更することができる。具体的には、端子箱カバーの取り付け方向を一定にしておき、端子箱胴体部が第１の取り付け方向で端子箱底板部に取り付けられた場合には、第１のサイズ（例えば、最大サイズ径）の電源ケーブル口出し穴が露出される。端子箱胴体部が第２の取り付け方向で端子箱底板部に取り付けられた状態では、第２のサイズ（例えば、中サイズ径）の電源ケーブル口出し穴が露出される。さらに、端子箱胴体部が第３の取り付け方向で端子箱底板部に取り付けられた場合には、第３のサイズ（例えば、最小サイズ径）の電源ケーブル口出し穴が露出される。
【００４７】
また、上述のように、本実施形態による電動機端子箱においては、容易に口出し穴の露出方向を変更することができる。具体的には、端子箱カバーと端子箱胴体部が第１の取り付け方向（例えば、図８のＸ軸正方向）で端子箱底板部に取り付けられた場合、第１のサイズ（例えば、最大サイズ径）の電源ケーブル口出し穴が第１の取り付け方向に露出される。端子箱カバーと端子箱胴体部が第２の取り付け方向（例えば、図８のＹ軸負方向）で端子箱底板部に取り付けられた場合、第１のサイズ（例えば、最大サイズ径）の電源ケーブル口出し穴が第２の取り付け方向に露出される。さらに、端子箱カバーと端子箱胴体部が第３の取り付け方向（例えば、図８のＸ軸負方向）で端子箱底板部に取り付けられた場合には、第１のサイズ（例えば、最大サイズ径）の電源ケーブル口出し穴が第３の取り付け方向に露出される。
【００４８】
なお、本発明の回転電機は、電動機（モータ）しても発電機（ジェネレータ）としても適用することができるものである。
【符号の説明】
【００４９】
１  電動機
２、１０  電動機端子箱
３  端子箱ケース
４、１１  端子箱カバー
５  口出し穴
６  端子箱カバー固定用穴
７  端子箱カバー固定用ナット
８  端子箱底板部
９  端子箱ケース胴体部
１２  端子箱底板部
１３  端子箱胴体部
１４  端子箱底板部の固定用穴
１５  口出し穴Ａ
１６  口出し穴Ｂ
１７  口出し穴Ｃ
１９  端子箱胴体部の固定用穴
２０  端子箱カバーの側面開口部
２１  端子箱カバーの固定用穴
２２  固定用ナット
２３  固定用ネジ
【図１】
2018023240.tif 000003
【図２】
2018023240.tif 000004
【図３】
2018023240.tif 000005
【図４】
2018023240.tif 000006
【図５】
2018023240.tif 000007
【図６】
2018023240.tif 000008
【図７】
2018023240.tif 000009
【図８】
2018023240.tif 000010
【図９】
2018023240.tif 000011
【図１０】
2018023240.tif 000012
【図１１】
2018023240.tif 000013